(57)【特許請求の範囲】
【請求項１】
装置本体の外部に設けられたコンピュータと前記装置本体の内部に設けられた制御回路とによってそれぞれ制御可能であり、原稿に記録された画像を光学的に読み取る画像読取装置であって、
実行頻度が相対的に高い動作を実行する第１の動作実行手段と、
実行頻度が相対的に低い動作を実行する第２の動作実行手段と、
前記コンピュータによる制御が禁止され、かつ前記制御回路による制御が許可されたスタンドアロンモードにおいて、前記第１の動作実行手段の動作を許可するとともに前記第２の動作実行手段の動作を禁止することができる制御手段とを備えたことを特徴とする画像読取装置。
【請求項２】
前記第２の動作実行手段が、日付および時刻を表示する表示手段を備えることを特徴とする請求項１に記載の画像読取装置。
【請求項３】
前記表示手段が、日付および時刻の表示を変更可能であることを特徴とする請求項２に記載の画像読取装置。
【請求項４】
前記第２の動作実行手段が、画像データが記録される記録媒体に対するフォーマット動作を実行するフォーマット手段を備えることを特徴とする請求項１に記載の画像読取装置。
【請求項５】
前記装置本体の内部に設けられた時計を動作させるためのバックアップバッテリと、このバックアップバッテリの電圧を検出する電圧検出手段とを備え、前記制御手段は、前記スタンドアロンモードであっても、前記電圧検出手段により検出された電圧が所定値よりも低いとき、もしくは前記バックアップバッテリを交換するとき、前記第２の動作実行手段の動作を可能にすることを特徴とする請求項１に記載の画像読取装置。
【請求項６】
前記装置本体の内部に設けられた時計を動作させるためのバックアップバッテリと、このバックアップバッテリの電圧を検出する電圧検出手段とを備え、前記制御手段は、前記コンピュータによる制御が許可されたリモートモードにおいて、前記電圧検出手段により検出された電圧が所定値よりも低いとき、もしくは前記バックアップバッテリを交換するとき、前記第２の動作実行手段の動作を許可することを特徴とする請求項１に記載の画像読取装置。
【発明の詳細な説明】
【０００１】
【発明の属する技術分野】
本発明は、例えばフィルムに記録された画像をラインセンサによって読み取る画像読取装置に関する。
【０００２】
【従来の技術】
通常このような画像読取装置は、装置本体に接続されたホストコンピュータによって制御可能である。すなわち画像をラインセンサによって読み取る動作、この読取動作によって得られた画像データを装置本体に装着された記録媒体に記録する動作等は、ホストコンピュータによって制御可能である。読取動作あるいは記録動作等を、ホストコンピュータとは独立に、装置本体に設けられた操作スイッチを操作することによって実行する、スタンドアロンモードによって制御できるように画像読取装置を構成することも可能である。
【０００３】
【発明が解決しようとする課題】
ホストコンピュータによる制御（リモートモード）では、そのコンピュータに接続されたモニタの画面を見ながら、マウスを操作することによって比較的簡単に各種の動作を実行できる。これに対してスタンドアロンモードでは、液晶ディスプレイ等の表示装置によって各種設定項目を表示させながら、日付や解像度等の設定項目を操作スイッチを操作して制御することが必要であり、全ての設定動作を操作部材の操作によって行なうように構成すると、操作部材の操作が煩雑になり、使い勝手が悪くなる。
【０００４】
本発明の目的は、スタンドアロンモードにおける操作を単純化することを目的としている。
【０００５】
【課題を解決するための手段】
本発明に係る画像読取装置は、装置本体の外部に設けられたコンピュータと装置本体の内部に設けられた制御回路とによってそれぞれ制御可能であり、原稿に記録された画像を光学的に読み取る画像読取装置であって、  実行頻度が相対的に高い動作を実行する第１の動作実行手段と、実行頻度が相対的に低い動作を実行する第２の動作実行手段と、コンピュータによる制御が禁止され、かつ制御回路による制御が許可されたスタンドアロンモードにおいて、第１の動作実行手段の動作を許可するとともに第２の動作実行手段の動作を禁止することができる制御手段とを備えたことを特徴としている。
【０００６】
第２の動作実行手段は例えば、日付および時刻を表示する表示手段を備える。この表示手段は、日付および時刻の表示を変更可能であることが好ましい。
【０００７】
第２の動作実行手段が、画像データが記録される記録媒体に対するフォーマット動作を実行するフォーマット手段を備えていてもよい。
【０００８】
また画像読取装置は、装置本体の内部に設けられた時計を動作させるためのバックアップバッテリと、このバックアップバッテリの電圧を検出する電圧検出手段とを備えていてもよく、この場合、制御手段は、スタンドアロンモードであっても、電圧検出手段により検出された電圧が所定値よりも低いとき、もしくはバックアップバッテリを交換するとき、第２の実行制御手段の動作を可能にするように構成されることが好ましい。
【０００９】
画像読取装置がバックアップバッテリと電圧検出手段を備える場合、制御手段は、コンピュータによる制御が許可されたリモートモードにおいて、電圧検出手段により検出された電圧が所定値よりも低いとき、もしくはバックアップバッテリを交換するとき、第２の動作実行手段の動作を許可するように構成されてもよい。
【００１０】
【発明の実施の形態】
以下、本発明の実施の形態を図面を参照して説明する。
図１は、本発明の第１の実施形態である画像読取装置を示すブロック図である。
【００１１】
この画像読取装置において用いられる被読取原稿Ｍは透過原稿（ネガフィルムまたはポジフィルム）であり、このネガフィルムにはカラー画像が記録されている。被読取原稿Ｍは原稿移送機構１０によって矢印Ａ方向に間欠的に移送される。被読取原稿Ｍの通過経路の上方には光源２０が配設され、また下方には結像レンズ３１とラインセンサ３０が設けられている。光源２０の点灯と消灯は光源駆動回路４１によって、またラインセンサ３０による画像の検出動作はラインセンサ駆動回路４２によって制御される。原稿移送機構１０、光源駆動回路４１およびラインセンサ駆動回路４２はシステムコントロール回路（制御回路）４０から出力される指令信号に従って動作する。
【００１２】
ラインセンサ３０から読み出された画像データはアンプ４３により増幅され、Ａ／Ｄ変換器４４によってデジタル信号に変換される。デジタルの画像データは、画像処理回路４５においてシェーディング補正を施された後、メモリ４６に一旦格納される。この画像データはメモリ４６から読み出され、色補正、ガンマ補正等の所定の演算処理を施される。これらの処理を施された画像データは記録媒体Ｒに記録可能である。また、この画像データは、インターフェース回路４７において所定のフォーマットに従った信号に変換され、出力端子４８を介して、この画像読取装置の外部に設けられたコンピュータ５０に出力可能である。Ａ／Ｄ変換器４４、画像処理回路４５、インターフェース回路４７の各動作および記録媒体Ｒへの記録動作は、システムコントロール回路４０により制御される。
【００１３】
画像読取装置の動作は、コンピュータ５０によって制御されるリモートモードと、システムコントロール回路４０に接続された操作スイッチ４９を操作することによって制御されるスタンドアロンモードとによって実行可能である。スタンドアロンモードでは、コンピュータ５０による制御が禁止される。すなわちスタンドアロンモードにおいて、画像読取装置では、パソコン等の外部装置からの制御指令は受け付けられず、装置本体内に設けられた制御装置による制御に従って、パソコン等へ画像情報を転送することなしに、画像読取および記録媒体への画像情報の記録が行なわれる。これに対してリモートモードでは、パソコン等の外部装置の制御回路による指令に基いて、画像読取装置内に設けられた制御装置が動作し、外部装置からの制御指令に基いて画像読取動作が行なわれ、また読み取った画像情報が外部へ転送される。
【００１４】
システムコントロール回路４０には、上述した回路等の他、表示パネル５２、リアルタイムクロック（時計）５３が接続されている。表示パネル５２は、日付および時刻を表示し、また画像読取装置の動作に関する種々の状態（例えばリモートモード）を表示するために設けられている。リアルタイムクロック５３は日付および時刻を記録媒体Ｒに記録し、また表示パネル５２に表示するために設けられている。なおリアルタイムクロック５３には、バックアップバッテリ５４が接続されている。
【００１５】
図２は原稿移送機構１０、光源２０およびラインセンサ３０を示している。被読取原稿Ｍは枠体１１によって支持されたフィルム状の透過原稿であり、枠体１１は板状のステージ１２に止め具１３によって固定される。ステージ１２には、被読取原稿Ｍに対応した位置に、図示しない開口が形成されている。ステージ１２の側端面にはラック１４が形成され、このラック１４には原稿送りモータ１５の出力軸に設けられたピニオン１６に噛合している。原稿送りモータ１５はシステムコントロール回路４０の制御に基づいて駆動され、被読取原稿Ｍの位置が制御される。
【００１６】
光源２０はステージ１２の上方に位置し、ブルー（Ｂ）、グリーン（Ｇ）およびレッド（Ｒ）の光を出射する発光素子２１Ｒ、２１Ｇ、２１Ｂを、この順序で周期的に配列して構成されているが、この配列は目的に応じて変更可能である。なお、図２では発光素子は６個だけ示されているが、さらに多くの発光素子を設けてもよく、あるいは少なくてもよい。これらの発光素子２１Ｒ、２１Ｇ、２１Ｂはステージ１２の幅方向に延びる細長い支持部材２２に支持され、支持部材２２とステージ１２の間には、支持部材２２と平行に延びるシリンドリカルレンズ２３が配設されている。すなわち発光素子２１から出射された光はシリンドリカルレンズ２３によって集光され、被読取原稿Ｍの上にライン状に照射される。
【００１７】
ラインセンサ３０はステージ１２を挟んで光源２０の下方に位置し、支持部材２２とシリンドリカルレンズ２３に平行に設けられている。すなわちラインセンサ３０は、被読取原稿Ｍが移送される方向に略直交する方向に延びている。ラインセンサ３０とステージ１２の間には結像レンズ３１が設けられている。結像レンズ３１はラインセンサ３０と平行に延び、ロッドレンズアレイによって構成される。したがって、被読取原稿Ｍに対して光源２０によって光が照射されると、この被読取原稿Ｍに記録された画像が、結像レンズ３１を介してラインセンサ３０の受光面に結像される。
【００１８】
図３は、被読取原稿Ｍとして反射原稿が用いられる場合の光源２０およびラインセンサ３０等の構成を示している。この構成では、光源２０とシリンドリカルレンズ２７は、ラインセンサ３０および結像レンズ３１とともに被読取原稿Ｍの下方に配設される。すなわち、光源２０から出射された光はシリンドリカルレンズ２７を介して被読取原稿Ｍの下面に照射され、この原稿Ｍによって反射された光が結像レンズ３１を介してラインセンサ３０に結像される。
【００１９】
図４は画像読取装置を前面側から見た斜視図である。装置本体６１の前面６２には、被読取原稿Ｍ（図１）をステージ１２（図２）とともに挿入するための原稿挿入口６３と、記録媒体Ｒ（図１）を挿入するための記録媒体挿入口６４とが形成されている。原稿挿入口６３と記録媒体挿入口６４は装置本体６１の上面６５に平行である。記録媒体挿入口６４の側方には、記録媒体Ｒを装置本体６１から排出するために押されるイジェクトボタン６６が設けられている。
【００２０】
上面６５と前面６２の間に形成された斜面６７には、表示パネル５２（図１）が設けられている。表示パネル５２の両側には、モード切替えスイッチ４９ａ、記録スイッチ４９ｂ、アップスイッチ４９ｃ、ダウンスイッチ４９ｄが設けられている。これらのスイッチ４９ａ、４９ｂ、４９ｃ、４９ｄは、図１に示されるスイッチ４９に相当する。なお各スイッチ４９ａ、４９ｂ、４９ｃ、４９ｄの作用については、フローチャート（図６、７、９〜１４）を参照して後述する。
【００２１】
図５は画像読取装置を背面側から見た斜視図である。装置本体６１の背面６８において、上方には電源スイッチ７１が設けられ、下方には、電源ケーブル７２が設けられている。電源ケーブル７２の近傍には入出力端子４８（図１）が設けられている。
【００２２】
記録媒体Ｒとしては、画像データを記録できるものであればよく、例えばＰＣＭＣＩＡ規格に準拠したメモリカード（以下ＰＣカードという）のうちＡＴＡ（AT Attachment ）フラッシュメモリカードが使用可能であり、また光磁気ディスクあるいはフロッピーディスクを用いてもよい。
【００２３】
図６および図７は、画像読取装置の動作を制御するメインルーチンのフローチャートであり、このルーチンはシステムコントロール回路４０によって実行される。
ステップ１０１では、モード切替えスイッチ４９ａ（図４）が押されてオン状態に定められているか否かが判定される。モード切替えスイッチ４９ａが押されたとき、ステップ１０２において、図９および図１０に示されるモード遷移ルーチンが実行される。モード遷移ルーチンは画像読取装置の種々の動作モードを実行するために設けられ、例えば記録媒体Ｒのフォーマット動作が実行される。
【００２４】
ステップ１０１においてモード切替えスイッチ４９ａが押されていないと判定されたとき、およびステップ１０２が実行された後、ステップ１０３へ移る。ステップ１０３では、記録媒体Ｒが記録媒体挿入口６４（図４）に装着されているか否かが判定される。記録媒体Ｒが装着されていないとき、ステップ１１６へ進み、記録媒体Ｒが装着されているとき、ステップ１０４へ進む。
【００２５】
ステップ１０４では、装着されている記録媒体Ｒが使用可能か否か、すなわちこの記録媒体Ｒの種類が画像読取装置によって画像を記録できるものであるか否かが判定される。例えば、この画像読取装置がＰＣカードのうちＡＴＡフラッシュメモリカードに画像データを記録できるように構成されている場合に、ＡＴＡフラッシュメモリカード以外のＩＣカードが装着されていると、ステップ１０４では記録媒体Ｒが使用不可能であると判定される。
【００２６】
記録媒体Ｒが使用不可能であるとき、ステップ１０５においてフォーマット可フラグが０にリセットされ、ステップ１１６へ進む。これに対し、記録媒体Ｒが使用可能であるとき、ステップ１０６において記録媒体Ｒがフォーマット済みであるか否かが判定される。記録媒体Ｒがフォーマット済みでないとき、ステップ１０７においてフォーマット可フラグが１にセットされ、ステップ１１６へ進む。これに対し、記録媒体Ｒがフォーマット済みであるとき、ステップ１０８においてフォーマット可フラグが０にリセットされ、ステップ１１１へ進む。
【００２７】
ステップ１１１では、記録媒体Ｒの空き容量すなわち記録可能容量が画像データを記録するのに十分なだけ存在しているか否かが判定される。記録媒体Ｒの空き容量が十分にあるとき、ステップ１１２以下が実行され、記録媒体Ｒの空き容量が十分ではないとき、ステップ１１６以下が実行される。
【００２８】
ステップ１１２では、スタンドアロン可フラグが１にセットされる。ステップ１１３では、スタンドアロンモードとリモートモードの両者を許可する旨のメッセージが表示パネル５２（図１および図４）に表示される。このメッセージの例は、図８において符号Ｅ１により示される。
【００２９】
次いでステップ１１４では、記録スイッチ４９ｂ（図４）が押されたか否かが判定される。記録スイッチ４９ｂが押されていないとき、ステップ１０１へ戻り、上述した処理が再び実行される。これに対して記録スイッチ４９ｂが押されたとき、ステップ１１５が実行される。すなわち、ラインセンサ３０によって画像が読み取られ、その画像データが記録媒体Ｒに記録される。
【００３０】
このように、記録媒体Ｒの種類が画像読取装置によって画像を記録できるものであり、記録媒体Ｒがフォーマットされており、かつ空き容量が十分にあるとき、記録スイッチ４９ｂが押されることによって画像の読取動作と記録媒体Ｒへの記録動作が行われる。
【００３１】
ステップ１１５における読取動作と記録動作が終了すると、ステップ１１１へ戻り、画像データの記録後の空き容量がチェックされる。まだ空き容量が十分にあればステップ１１２以下が実行され、空き容量が十分になければステップ１１６へ進む。
【００３２】
ステップ１１６は、上述の説明から理解されるように、記録媒体Ｒが画像を記録するのに不適当なものであったり、また画像を記録できる状態になっていないときに実行される。すなわちステップ１１６では、スタンドアロン可フラグが０にリセットされる。ステップ１１７では、リモートモードのみが許可される旨のメッセージが表示パネル５２に表示される。換言すれば、このメッセージはスタンドアロンモードによる記録動作が不可能であることを意味しており、このメッセージの例は、図８において符号Ｅ２により示される。
【００３３】
ステップ１１８では、コンピュータ５０から画像データの転送要求があったか否かが判定される。画像データの転送要求があったとき、ステップ１１９が実行され、ラインセンサ３０によって画像が読み取られるとともに、画像データがコンピュータ５０に転送される。これに対し、画像データの転送要求がないとき、ステップ１１９はスキップされる。
【００３４】
ステップ１１８、１１９の実行の後、ステップ１０１へ戻り、上述した処理が再び実行される。
【００３５】
図９および図１０は、図６のステップ１０２において実行されるモード遷移ルーチンのフローチャートである。
【００３６】
ステップ２０１では、スタンドアロン可フラグが１にセットされているか否かが判定される。上述したように、スタンドアロン可フラグは画像読取装置に装着された記録媒体Ｒに画像データを記録可能なとき１にセットされ、このとき画像読取装置は、スタンドアロンモードとリモートモードの両者によって動作可能である。これに対して記録媒体Ｒに画像データを記録できない場合、スタンドアロン可フラグは０にリセットされ、画像読取装置はリモートモードによってのみ動作可能である。
【００３７】
スタンドアロン可フラグが０（リモートモード）であるとき、ステップ２０２が実行される。ステップ２０２では、日付と時刻が表示パネル５２によって表示される。ステップ２０３において、モード切替えスイッチ４９ａが解放されてオフ状態に定められたことが確認されると、ステップ２０４が実行される。すなわち、このルーチンはモード切替えスイッチ４９ａが押されたことによって開始するが、このスイッチ４９ａが押下され続けている間は、ステップ２０４へは進まない。
【００３８】
ステップ２０４では、モード切替えスイッチ４９ａが再び押されたか否かが判定される。ステップ２０４においてモード切替えスイッチ４９ａが押されていないと判定されたとき、ステップ２０５が実行される。ステップ２０５では、アップスイッチ４９ｃまたはダウンスイッチ４９ｄが操作されて日付または時刻が変更されたか否かが判定される。変更されないときはステップ２０４と２０５が繰り返し実行されるが、変更されたときはステップ２０２において変更後の日付と時刻が表示される。そしてステップ２０３、２０４の順に実行される。
【００３９】
ステップ２０４においてモード切替えスイッチ４９ａが押されたと判定されたとき、ステップ２１１が実行され、フォーマット可フラグが１にセットされているか否かが判定される。フォーマット可フラグは、図６および図７を参照して説明したように、記録媒体Ｒが使用可能であり、かつフォーマット済みでないときのみ、１にセットされる。
【００４０】
フォーマット可フラグが０であるとき、ステップ２１７へ進み、フォーマット可フラグが１であるとき、ステップ２１２へ進む。ステップ２１２では、フォーマットモードに定められたことが表示パネル５２に表示される。ステップ２１３において、モード切替えスイッチ４９ａがオフ状態に定められたことが確認されると、ステップ２１４が実行され、記録スイッチ４９ｂが押されたか否かが判定される。ステップ２１４において記録スイッチ４９ｂが押されたと判定されたとき、ステップ２１５においてフォーマット動作が実行される。すなわちフォーマット動作では、記録スイッチ４９ｂの操作によりフォーマットが行われ、さらにスタンドアロン可フラグが１にセットされた後、ステップ２１７へ進む。
【００４１】
これに対し、ステップ２１４において記録スイッチ４９ｂが押されないと判定されたとき、ステップ２１６へ進み、モード切替えスイッチ４９ａが押された否かが判定される。モード切替えスイッチ４９ａも記録スイッチ４９ｂも押されない間、ステップ２１４と２１６が繰り返し実行される。この間に、もしモード切替えスイッチ４９ａが押されるとステップ２１６からステップ２１７へ移る。
【００４２】
ステップ２１７では、スタンバイモードに定められたこと、すなわち画像の読取動作が実行可能である旨が表示パネル５２上に表示される（図８参照）。ここで、スタンドアロン可フラグが１に設定されている場合には符号Ｅ１により示される画面が表示され、スタンドアロン可フラグが１に設定されていない場合には符号Ｅ２により示される画面が表示される。その後、ステップ２１８においてモード切替えスイッチ４９ａがオフ状態すなわち解放されたことが確認されると、このルーチンは終了する。
【００４３】
一方、ステップ２０１においてスタンドアロン可フラグが１にセットされていると判定されたとき、ステップ２２１が実行される。ステップ２２１では、消去モードに定められたことが表示パネル５２に表示される。次いでステップ２２２において、モード切替えスイッチ４９ａがオフ状態に定められたことが確認されると、ステップ２２３が実行され、モード切替えスイッチ４９ａが押されたか否かが判定される。モード切替えスイッチ４９ａが押されていないと判定されたとき、ステップ２２４が実行される。ステップ２２４では、アップスイッチ４９ｃまたはダウンスイッチ４９ｄの操作によって消去すべき画像が決定され、記録スイッチ４９ｂが押されてその画像が消去されたか否かが判定される。このように消去動作では、記録スイッチ４９ｂの操作により画像が消去される。
【００４４】
消去動作が行われないときはステップ２２３と２２４が繰り返し実行される。消去動作が行われたときはステップ２２１において消去された画像の番号等が表示され、その後ステップ２２２、２２３の順に実行される。
【００４５】
消去モードが設定されている間にモード切替えスイッチ４９ａが押されると、ステップ２２３からステップ２２５へ移り、解像度設定モードに定められたことが表示パネル５２に表示される。ステップ２２６において、モード切替えスイッチ４９ａがオフ状態に定められたことが確認されると、ステップ２２７が実行される。ステップ２２７では、モード切替えスイッチ４９ａが再び押されたか否かが判定され、ステップ２２７においてモード切替えスイッチ４９ａが押されていないと判定されたとき、ステップ２２８が実行される。すなわち、アップスイッチ４９ｃまたはダウンスイッチ４９ｄにより解像度が変更されたか否かが判定される。解像度の変更動作が行われないときはステップ２２７と２２８が繰り返し実行され、解像度の変更動作が行われたときはステップ２２５において新しい解像度等が表示される。そしてステップ２２６、２２７の順に実行される。
【００４６】
この間に、もしモード切替えスイッチ４９ａが押されると、ステップ２２７からステップ２１７へ進み、上述したように、スタンバイモードに定められた旨が表示パネル５２上に表示される。そして、ステップ２１８においてモード切替えスイッチ４９ａがオフ状態すなわち解放されたことが確認されると、このルーチンは終了する。
【００４７】
なお、日付および時刻、あるいは解像度等に関して設定される各項目は、システムコントロール回路４０に設けられたメモリ（図示せず）に格納されており、リモートモードでは、装置本体６１に設けられた操作部材を操作することなく、コンピュータ５０による指令によって設定可能である。またリモートモードでは、スタンドアロンモードのように、日付および時刻等のように変更頻度の低い項目の設定動作を省略することはない。
【００４８】
以上のように本実施形態は、スタンドアロンモードでは日付と時刻の表示、およびその変更動作が禁止され、また記録媒体Ｒのフォーマット動作が禁止されている。換言すれば、リモートモードにおいてのみ、日付、時刻の表示および変更とフォーマット動作が可能である。すなわち本実施形態では、スタンドアロンモードにおいて、実行頻度が相対的に高い動作の実行が許可されるとともに、日付および時刻の表示および設定等のように実行頻度が相対的に低い動作の実行が禁止されている。したがって本実施形態によれば、スタンドアロンモードにおいて、日付および時刻の表示および設定等の動作を省略した分だけ操作が単純になる。
【００４９】
図１１および図１２は、第２の実施形態におけるモード遷移ルーチンのフローチャートである。第２の実施形態において、電気的および機械的構成は図１〜図５に示される第１の実施形態と同様である。また第２の実施形態において、画像読取装置の動作を制御するメインルーチンは図６および図７に示される第１の実施形態と同様であり、スタンバイモードの表示も図８と同様である。なお図１１および図１２の各ステップの符号は、図９および図１０のフローチャートの対応するステップの符号の数字に「１００」を加算して示されている。
【００５０】
ステップ３０１〜３０５の内容は、図９のステップ２０１〜２０５と同じである。ステップ３０４においてモード切替えスイッチ４９ａが押されたと判定されたとき、ステップ３０６が実行され、スタンドアロン可フラグが１にセットされているか否かが判定される。スタンドアロン可フラグが１であるとき、ステップ３０６からステップ３２１へ進み、スタンドアロン可フラグが０であるとき、すなわちリモートモードのとき、ステップ３１１が実行される。ステップ３１１〜３１８の内容は、図１０のステップ２１１〜２１８と同じである。
【００５１】
一方、ステップ３０１においてスタンドアロン可フラグが１にセットされていると判定されたとき、ステップ３０７へ進み、バックアップバッテリ５３（図１参照）の電圧が検出されるとともに、この電圧が所定値よりも低いか否か、すなわちバックアップバッテリ５３が切れているか否かが判定される。バックアップバッテリ５３の電圧が所定値以上であるときステップ３２１へ進む。これに対してバックアップバッテリ５３の電圧が所定値よりも低いとき、ステップ３０２が実行され、日付と時刻が表示パネル５２（図１参照）によって表示される。そしてステップ３０３、３０４、３０５が実行される。
【００５２】
ステップ３０７が実行された後にステップ３０２が実行された場合、ステップ３０４からステップ３０６へ移ると、スタンドアロン可フラグが１であると判定される。したがって、この場合、ステップ３０６からステップ３２１へ進む。また、ステップ３０７においてバックアップバッテリ５３の電圧が所定値以上であると判定された場合も、ステップ３２１が実行される。すなわちスタンドアロンモードでは、日付および時刻の表示等は行われず、消去モード（ステップ３２１〜３２４）と解像度の設定（ステップ３２５〜３２８）が実行可能である。
【００５３】
ステップ３２１〜３２８の内容は、図９のステップ２２１〜２２８と同じであり、ステップ３２７においてモード切替えスイッチ４９ａ（図４参照）が押されたと判定されると、ステップ３２７からステップ３１７へ進み、スタンバイモードに定められたこと、すなわち画像の読取動作が実行可能である旨が表示パネル５２上に表示される。そして、ステップ３１８においてモード切替えスイッチ４９ａがオフ状態に定められたことが確認されると、このルーチンは終了する。
【００５４】
以上のように本実施形態は、スタンドアロン可フラグが１であるとき、すなわちスタンドアロンモードとリモートモードの両者が実行可能であるとき、バックアップバッテリ５３の電圧が所定値よりも低ければ、日付と時刻の表示等の操作が許可されている。したがって本実施形態によれば、スタンドアロンモードであっても、バックアップバッテリ５３が切れて日付と時刻が狂っている場合には、日付等を修正して画像読取装置を使用することができる。また本実施形態によれば、スタンドアロンモードでは通常、日付と時刻の表示等および記録媒体のフォーマット動作が禁止されているので、第１の実施形態と同様に、スタンドアロンモードにおける操作が単純になる。
【００５５】
図１３および図１４は、第３の実施形態におけるモード遷移ルーチンのフローチャートである。第３の実施形態において、電気的および機械的構成は図１〜図５に示される第１の実施形態と同様である。また第３の実施形態において、画像読取装置の動作を制御するメインルーチンは図６および図７に示される第１の実施形態と同様であり、スタンバイモードの表示も図８と同様である。なお図１３および図１４の各ステップの符号は、図９および図１０のフローチャートの対応するステップの符号の数字に「２００」を加算して示されている。
【００５６】
ステップ４０１では、スタンドアロン可フラグが１にセットされているか否かが判定される。スタンドアロン可フラグが０であるとき、ステップ４０８が実行され、バックアップバッテリ５３（図１参照）の電圧が所定値よりも低いか否かが判定される。この電圧が所定値よりも低いとき、ステップ４０２へ進む。ステップ４０２〜４０５、４１１〜４１８の内容は、図９のステップ２０２〜２０５および図１０のステップ２１１〜２１８と同じである。
【００５７】
ステップ４０８において、バックアップバッテリ５３の電圧が所定値以上であると判定されたとき、ステップ４０８からステップ４１１へ進む。すなわちリモートモードであってバックアップバッテリ５３の電圧が所定値以上であるとき、日付および時刻の表示および変更は行われない。
【００５８】
一方、ステップ４０１においてスタンドアロン可フラグが１にセットされていると判定されたとき、ステップ４２１へ進む。すなわちスタンドアロンモードでは、日付および時刻の表示等は行われず、消去モード（ステップ４２１〜４２４）と解像度の設定（ステップ４２５〜４２８）が実行可能である。
【００５９】
ステップ４２１〜４２８の内容は、図９のステップ２２１〜２２８と同じである。すなわち、ステップ４２７においてモード切替えスイッチ４９ａ（図４参照）が押されたと判定されると、ステップ４２７からステップ４１７へ進み、そしてステップ４１８においてモード切替えスイッチ４９ａがオフ状態に定められたことが確認されると、このルーチンは終了する。
【００６０】
以上のように本実施形態は、スタンドアロン可フラグが０であるとき、すなわちリモートモードのみの実行が可能であるとき、バックアップバッテリ５３の電圧が所定値よりも低いときのみ、日付と時刻の表示の調整が可能である。したがって本実施形態によれば、通常の使用状態において、リモートモードにおける操作の種類が減り、操作が単純化される。また本実施形態によれば、第１および第２の実施形態と同様に、スタンドアロンモードにおける操作も単純になる。
【００６１】
なお第３の実施形態において、例えばモード切替えスイッチ４９ａを押したまま電源を投入したときに、日付と時刻を調整できるように構成することができ、これにより工場出荷時等における調整作業が容易になる。
【００６２】
図１５、図１６および図１７は、第４の実施形態におけるモード遷移ルーチンのフローチャートである。第４の実施形態において、電気的および機械的構成は図１〜図５に示される第１の実施形態と同様である。また第４の実施形態において、画像読取装置の動作を制御するメインルーチンは図６および図７に示される第１の実施形態と同様であり、スタンバイモードの表示も図８と同様である。なお図１５、図１６および図１７の各ステップの符号は、図９および図１０のフローチャートの対応するステップの符号の数字に「３００」を加算して示されている。
【００６３】
ステップ５０１では、スタンドアロン可フラグが１にセットされているか否かが判定される。スタンドアロン可フラグが１であるとき、ステップ５３１が実行され、バックアップバッテリ５３（図１参照）の電圧がチェックされる。ステップ５３２では、バックアップバッテリ５３の電圧が０Ｖであるか否かが判定される。このバッテリ電圧が０Ｖであるとき、バックアップバッテリ５３が取り外されたと見做され、ステップ５３３においてバッテリフラグが１にセットされる。そしてステップ５３４では、リアルタイムクロック５３に設けられたＥＥＰＲＯＭにバッテリフラグ＝１が書込まれ、このルーチンは終了する。
【００６４】
バックアップバッテリ５３が取り外されたためにバッテリフラグが１にセットされた後、再びこのモード遷移ルーチンが実行されたとき、新しいバックアップバッテリが装着されていると、ステップ５３２ではバッテリ電圧が０Ｖではないと判定される。したがってステップ５３５が実行され、バッテリフラグが１であるか否かが判定される。この場合、バッテリフラグは１であるのでステップ５０２へ進み、日付と時刻が表示パネル５２によって表示される。ステップ５０２〜５０５の内容は、図９のステップ２０２〜２０５と同じである。
【００６５】
ステップ５０４においてモード切替えスイッチ４９ａが押されたと判定されたとき、ステップ５４１においてバッテリフラグが０にリセットされた後、ステップ５４２においてＥＥＰＲＯＭにバッテリフラグ＝０が書込まれる。そしてステップ５２１以下が実行される。ステップ５２１〜５２８の内容は図９のステップ２２１〜２２８と同じである。
【００６６】
ステップ５２７においてモード切替えスイッチ４９ａが押されたと判定されたとき、ステップ５０６が実行され、スタンドアロン可フラグが１にセットされているか否かが判定される。スタンドアロン可フラグが１であるとき、ステップ５０６からステップ５２１へ進み、スタンドアロン可フラグが０であるとき、すなわちリモートモードのとき、ステップ５１１が実行される。ステップ５１１〜５１８の内容は、図１０のステップ５１１〜５１８と同じである。
【００６７】
一方、ステップ５３５においてバッテリフラグが０であると判定されたとき、すなわち新しいバックアップバッテリに交換されてステップ５４１が実行された後は、ステップ５０２〜５０５、５４１、５４２が実行されずに、ステップ５２１へ進む。
【００６８】
したがって本実施形態によれば、バックアップバッテリを交換するとき、１回だけ日付と時刻の調整ができる。また本実施形態によれば、第１〜第３の実施形態と同様に、スタンドアロンモードにおける操作も単純になる。
【００６９】
なお第３の実施形態（図１３および図１４）において、ステップ４０８を省略するとともに、ステップ４０１と４２１の間に、ステップ５３１〜５３５を設けてもよい。すなわち、スタンドアロン可フラグが１であるときステップ５３１を実行し、ステップ５３５においてバッテリフラグが１であると判定されたときステップ４０２へ進むように構成してもよい。これにより、リモートモードにおいてバックアップバッテリを交換するときに、１回だけ日付と時刻の調整を行なうことが可能になる。
【００７０】
【発明の効果】
以上のように本発明によれば、スタンドアロンモードにおける操作を単純化することができる。
【図面の簡単な説明】
【図１】本発明の第１の実施形態である画像読取装置を示すブロック図である。
【図２】原稿移送機構、光源およびラインセンサを示す斜視図である。
【図３】被読取原稿として反射原稿が用いられる場合の光源およびラインセンサ等の配置を示す図である。
【図４】画像読取装置を前面側から見た斜視図である。
【図５】画像読取装置を背面側から見た斜視図である。
【図６】画像読取装置の動作を制御するメインルーチンの前半部分を示すフローチャートである。
【図７】画像読取装置の動作を制御するメインルーチンの後半部分を示すフローチャートである。
【図８】表示パネルによって表示され、スタンドアロンモードとリモートモードの両者を許可する旨のメッセージの例を示す図である。
【図９】第１の実施形態におけるモード遷移ルーチンの前半部分を示すフローチャートである。
【図１０】第１の実施形態におけるモード遷移ルーチンの後半部分を示すフローチャートである。
【図１１】第２の実施形態におけるモード遷移ルーチンの前半部分を示すフローチャートである。
【図１２】第２の実施形態におけるモード遷移ルーチンの後半部分を示すフローチャートである。
【図１３】第３の実施形態におけるモード遷移ルーチンの前半部分を示すフローチャートである。
【図１４】第３の実施形態におけるモード遷移ルーチンの後半部分を示すフローチャートである。
【図１５】第４の実施形態におけるモード遷移ルーチンの前半部分を示すフローチャートである。
【図１６】第４の実施形態におけるモード遷移ルーチンにおいて、消去モードと解像度設定動作の部分を示すフローチャートである。
【図１７】第４の実施形態におけるモード遷移ルーチンの後半部分を示すフローチャートである。
【符号の説明】
３０  ラインセンサ
４０  システムコントロール回路（制御回路）
５０  コンピュータ
５２  表示パネル
６１  装置本体
Ｍ    原稿
【図１】
0003825549.tif 000002
【図２】
0003825549.tif 000003
【図３】
0003825549.tif 000004
【図４】
0003825549.tif 000005
【図５】
0003825549.tif 000006
【図６】
0003825549.tif 000007
【図７】
0003825549.tif 000008
【図８】
0003825549.tif 000009
【図９】
0003825549.tif 000010
【図１０】
0003825549.tif 000011
【図１１】
0003825549.tif 000012
【図１２】
0003825549.tif 000013
【図１３】
0003825549.tif 000014
【図１４】
0003825549.tif 000015
【図１５】
0003825549.tif 000016
【図１６】
0003825549.tif 000017
【図１７】
0003825549.tif 000018